(57)【要約】【課題】ホッパー６とブラケット７間との接合部の密封性を常時高く維持することで、接合部から粉砕された生ごみが流出せず、ディスポーザーの回りが汚れたり悪臭が発生することがなく快適に使用できるディスポーザーおよびそれを備えた流し台を提供する。【解決手段】生ごみが投入されて粉砕処理される粉砕室を内蔵したホッパー６と、生ごみを粉砕する破砕刃９および破砕刃９を駆動するモーター８を収納したブラケット７とを有し、ホッパー６とブラケット７の接合部に接合部を密封するＯリング１６を備え、Ｏリング１６の内側に所定の厚さを持った平パッキン１５を配置した。【選択図】図１
2006239606.tif 000002
【特許請求の範囲】
【請求項１】
生ごみが投入されて粉砕処理される粉砕室を内蔵した粉砕室ケースを有し、生ごみを粉砕する破砕刃および破砕刃を駆動するモーターを収納したモーターケースを備え、粉砕室ケースとモーターケースの接合部に接合部を密封する少なくとも２つの環状のパッキンを設けたことを特徴とするディスポーザー。
【請求項２】
前記パッキンは、パッキンの中で最も内側に所定の厚さをもった平板状のパッキンを配置したことを特徴とする請求項１記載のディスポーザー。
【請求項３】
前記平板状のパッキンは、平板状のパッキンの内側に前記粉砕室ケースとモーターケースを接合したときに平板状のパッキンの変形による位置ずれを防止して固定する所定の高さを持った固定板を設けたことを特徴とする請求項２記載のディスポーザー。
【請求項４】
前記モーターは、モーターの回転軸の上部に、回転軸とモーターケースの隙間を密封する少なくとも２つの所定の高さをもったオイルシールを設けたことを特徴とする請求項１から３のいずれか１項に記載のディスポーザー。
【請求項５】
請求項１から４のいずれか１項に記載のディスポーザーを備えたことを特徴とする流し台。
【発明の詳細な説明】
【技術分野】
【０００１】
本発明は生ごみを水と共に粉砕処理するディスポーザーおよびそれを備えた流し台に関する。
【背景技術】
【０００２】
生ごみを、回転する破砕刃によって粉砕処理する例えばディスポーザーにおいて、粉砕室を内蔵する粉砕室ケース（ホッパー）と、破砕刃および破砕刃を駆動するモーターケース（ブラケット）との接合部の密封が不十分である場合は、接合部から粉砕された生ごみが外部に流出してしまい、ディスポーザーの回りを汚したり悪臭が発生することがあった。
【０００３】
このような問題を解決するために、例えば接合部において２ヶ所を二重の円状で密封する１つのパッキンを配置して、接合部の密封性を高める技術が提案されている（例えば特許文献１参照）。
【０００４】
この技術を、ディスポーザーに用いた場合においては、粉砕室ケースとモーターケースとの接合部に配置したパッキンによって、接合部の２ヶ所を二重の円状で密封することができるため、接合部の密封性を向上させ、接合部からの粉砕された生ごみの流出を防止することができる。
【特許文献１】特開平８−４７６８３号公報
【発明の開示】
【発明が解決しようとする課題】
【０００５】
しかしながら上記従来の技術の（特許文献１）に記載の接合部を密封する技術を用いたディスポーザーでは、接合部を密封するパッキンは１つのパッキンを用いて２ヶ所を二重の円状で密封する構成としているため、長期間の使用した場合に２ヶ所の密封部がいずれも同時に劣化してしまい、接合部の密封性を維持することが困難になる場合があった。
【０００６】
本発明はこのような従来の課題を解決するものであり、粉砕室ケースとモーターケースとの接合部の密封性を常時高く維持するとともに、長期間の使用により特に接合部の内側に配置されたパッキンが劣化した場合でも密封性を維持することができるディスポーザーおよびそれを備えた流し台を提供することを目的とする。
【課題を解決するための手段】
【０００７】
本発明は上記目的を達成するために、生ごみが投入されて粉砕処理される粉砕室を内蔵した粉砕室ケースを有し、生ごみを粉砕する破砕刃および破砕刃を駆動するモーターを収納したモーターケースを備え、粉砕室ケースとモーターケースの接合部に接合部を密封する少なくとも２つの環状のパッキンを設けたことを特徴としている。
【０００８】
この構成により、粉砕室ケースとモーターケースとの接合部の密封性を常時高く維持し、かつ長期間の使用により特に接合部の内側に配置されたパッキンが劣化した場合でも密封性を維持できるという作用が達成できる。
【発明の効果】
【０００９】
本発明は、粉砕室ケースとモーターケースとの接合部から粉砕された生ごみが流出せず、ディスポーザーの回りが汚れたり悪臭が発生することがなく快適に使用できるディスポーザーおよびそれを備えた流し台を提供することができるという効果を奏する。
【発明を実施するための最良の形態】
【００１０】
本発明の実施の形態は、生ごみが投入されて粉砕処理される粉砕室を内蔵した粉砕室ケースを有し、生ごみを粉砕する破砕刃および破砕刃を駆動するモーターを収納したモーターケースを備え、粉砕室ケースとモーターケースの接合部に接合部を密封する少なくとも２つの環状のパッキンを設けたものである。
【００１１】
これにより、粉砕室ケースとモーターケースとの接合部の密封性を常時高く維持し、かつ長期間の使用により特に接合部の内側に配置されたパッキンが劣化した場合でも密封性を維持して、接合部から粉砕された生ごみが流出せず、ディスポーザーの回りが汚れたり悪臭が発生することがなく快適に使用できるディスポーザーを提供できる。
【００１２】
また前記パッキンは、パッキンの中で最も内側に所定の厚さをもった平板状のパッキンを配置してもよい。
【００１３】
これにより最も内側に配置されたパッキンによる密封部の密封面積を大きくすることができるので、長期間の使用により最も内側に配置されたパッキンが劣化した場合でも、接合部における前記パッキンの密封性を維持できる。
【００１４】
また前記平板状のパッキンは、平板状のパッキンの内側に前記粉砕室ケースとモーターケースを接合したときに平板状のパッキンの変形による位置ずれを防止して固定する所定の高さを持った固定板を設けるようにしてもよい。
【００１５】
この場合は、平板状のパッキンの位置ずれを防止することができるので、接合部の密封性を更に高めることができる。
【００１６】
また前記モーターの回転軸の上部に、回転軸とモーターケースの隙間を密封する少なくとも２つの所定の高さをもったオイルシールを設けてもよい。
【００１７】
この場合は、回転軸とモーターケースの隙間の密封性をさらに高めることができるので、回転軸とモーターケースの隙間においても、粉砕した生ごみの流出を防止できる。
【００１８】
そして、上記生ごみ処理装置を流し台に組込むようにすれば、厨房での使い勝手を大いに高めることが出来る。
【実施例】
【００１９】
以下、本発明の実施例について図面を用いて説明する。
【００２０】
（実施例１）
図１の実施例１に示すディスポーザーの断面図に示すように、１はシンクフランジでキッチンシンク２に防水パッキン３を介して締付ナット４によって固定される。
【００２１】
６は粉砕室ケース（ホッパー）であり、内部に粉砕室６ａが配置されている。ホッパー６はアルミで構成されておりシンクフランジ１に緩衝ゴム５を介して取付けられている。
【００２２】
ホッパー６にはモーター８を内蔵したモーターケース（ブラケット）７が取付けてあり、モ−タ−８のモーター回転軸８ａにはチェーンやＳＵＳ板金などで構成された破砕刃９が取付けてあり、締付ネジ１０で固定されている。
【００２３】
破砕刃９の外周にはステンレス板で構成されたステンレス固定板１１がホッパー６とブラケット７に挟まれるように取付けてある。ブラケット７とホッパー６はボルト２０で固定されており、水シール用としてＯリング１６が設置されている。
【００２４】
ホッパー６の最上部には蓋１２が取りつけられていて、蓋１２を開けてからホッパー６の中へ生ごみが投入されるようになっている。蓋１２を閉めて回転させると運転が開始するようになっている。
【００２５】
破砕刃９の下にはブラケット７に固定された底板１３が設置されている。底板１３の外周には小さな四角形状の切り欠きで構成された底板破砕刃２１が構成されており、生ゴミは破砕刃９と前述した底板１３の底板破砕刃２１により細かく粉砕され、底板１３の切り欠きや開口部からブラケット排水部１４に流れていく。
【００２６】
ホッパー６で平パッキン１５を圧縮しているが、平パッキン１５が圧縮によりシール部分からのはみ出しを防止するため、ステンレス固定板１１を設置している。
【００２７】
モーター回転軸８ａは、回転時のモーター側への水漏れを防止するためにオイルシール１７が取付けられており、オイルシール１７の傾きや潤滑用グリース不足等の製造上の不具合による水漏れを防止する為に、更にオイルシール１８が設置されている。
【００２８】
オイルシール１７は、モーター回転軸８ａに対してシール効果は高いが摺動抵抗は大きい一般品を使用しているが、オイルシール１８はモーター回転軸８ａに対して負荷が低く摺動抵抗の低い特殊品を使用しているのでオイルシール１８を２個使用しても、生ごみ粉砕時においてモーター８は必要なトルク、回転数が確保されている。
【００２９】
図２の実施例１に示す粉砕室ケースとモーターケースの接合部の詳細断面図に示すように、ホッパー６とブラケット７嵌合部のシール構造を二重化するために平パッキン１５を追加し、又、ホッパー６とブラケット７間の圧縮による平パッキン１５の逃げを防止するために、ステンレス固定板１１を設置している。
【００３０】
ステンレス固定板１１により、平パッキン１５は内径側に逃げるのを防止すると共に破砕室内の破砕刃９によりブラケット７の破砕刃９と対向する壁が磨耗するのを防止する効果がある。
【００３１】
上記のディスポーザーを流し台に取り付けた場合、図３の実施例１に示すディスポーザーを備えた流し台の全体構成図に示すように、ステンレスや人工大理石等からなる流し台２２があり、その排水口には、ディスポーザー本体２３が吊り下げて取りつけられており、ディスポーザー本体２３に給水する給水路２４は、流し台２２の上面を貫通して取りつけられている。
【００３２】
その給水路２４には、使用者が手動で開閉して水量を調節する水栓２５が設置されていて、さらに給水路２４の吐水口は、排水口の上方より下向きになっている。
【００３３】
生ごみ投入口２７から投入された生ごみは、水とともに粉砕室６ａに導入され、破砕刃９で粉砕処理されてから、ディスポーザー本体２３の側面に設けられた排出管２６より排出される。
【００３４】
そして、排出管２６を通った後、床下に埋設され、かつ排水方向に下り勾配が付された排水管２８より流し台２２の外に排水される。
【００３５】
以上の構成において、本実施例１における生ごみ処理装置の動作を図１から図３を用いて説明する。
【００３６】
ディスポーザー本体２３の蓋１２を外し、生ごみを粉砕室６ａに投入して、流し台２２の水栓２５から約８Ｌ／ｍｉｎの水道水を流しながら蓋１２を装着して蓋１２を右に回転させると制御ボックス１９に内蔵された電気回路によりモーター８が運転を開始する。
【００３７】
モーター８のモーター回転軸８ａが回転し、モーター回転軸８ａに固定された破砕刃９が約３０００ｒｐｍの高速で回転する。モーター回転軸８ａは、回転時のモーター８側への水漏れを防止するためにオイルシール１７が取付けられており、オイルシール１７の傾きや潤滑用グリース不足等の製造上の不具合による水漏れを防止する為に、更にオイルシール１８が設置されている。
【００３８】
投入された生ごみは、回転する破砕刃９と底板破砕刃２１により細かく粉砕され、底板１３の切り欠きや開口部からブラケット排水部１４に水道水と共に流れていく。
【００３９】
ホッパー６とブラケット７嵌合部のシール構造を二重化するために平パッキン１５を追加し、又、ホッパー６とブラケット７間の圧縮による平パッキン１５の逃げを防止するために、ステンレス固定板１１を設置している。
【００４０】
ブラケット排水部１４に流れた粉砕物は、排出管２６を通った後、床下に埋設され、かつ排水方向に下り勾配が付された排水管２８より流し台２２の外に排水される。
【００４１】
以上のように本実施例１によれば、ホッパー６とブラケット７との接合部において、内側に平パッキン１５と外側にＯリング１６を配置し、かつ平パッキン１５の内側面側に平パッキン１５に位置ずれを防止するステンレス固定板１１を取り付けている。
【００４２】
このため接合部の密封性を常時高く維持し、かつ長期間の使用によりパッキン３が劣化した場合でも密封性を維持して、接合部から粉砕された生ごみが流出せず、ディスポーザーの回りが汚れたり悪臭が発生することがなく快適に使用できるディスポーザーを提供できる。
【００４３】
また、モーター回転軸８ａとブラケット７の間にオイルシール１７とオイルシール１８を配置しているために、モーター回転軸８ａとブラケット７の間の密封性も常時高く維持することができるので、同じく粉砕した生ごみの流出を防止できる。
【産業上の利用可能性】
【００４４】
以上のように本発明のディスポーザーは、接合部の密封性を常時高く維持することができるので、たとえばコンポスト方式や乾燥方式の生ごみ処理装置等への応用が期待できる。
【図面の簡単な説明】
【００４５】
【図１】実施例１に示すディスポーザーの断面図
【図２】実施例１に示す粉砕室ケースとモーターケースの接合部の詳細断面図
【図３】実施例１に示すディスポーザーを備えた流し台の全体構成図
【符号の説明】
【００４６】
１    シンクフランジ
２    キッチンシンク
３    パッキン
４    ナット
５    緩衝ゴム
６    ホッパー
６ａ    粉砕室
７    ブラケット
８    モーター
８ａ    モーター回転軸
９    破砕刃
１０    締付ネジ
１１    ステンレス固定板
１２    蓋
１３    底板
１４    ブラケット排水部
１５    平パッキン
１６    Ｏリング
１７    オイルシール
１８    オイルシール
１９    制御ボックス
２０    ボルト
２１    底板破砕刃
２２    流し台
２３    ディスポーザー本体
２４    給水路
２５    水栓
２６    排出管
２７    生ごみ投入口
２８    排水管
【図１】
2006239606.tif 000003
【図２】
2006239606.tif 000004
【図３】
2006239606.tif 000005